(57)【要約】【目的】本発明は地震時に係止体が扉等の戻る動きとは独立して動くことにより扉等の戻る動きで解除されず地震時にロック位置に到って振動する構成にすることにより解除機構を単純に出来る扉等の地震時ロック方法及び該方法を用いた地震対策付き棚の提供を目的とする。【構成】本発明の地震時ロック方法は地震時に係止体が扉等の戻る動きとは独立して動くことにより扉等の戻る動きで解除されず地震時にロック位置に到って振動する構成にすることにより解除機構を単純に出来る。【選択図】図６
2006194078.tif 000002
【特許請求の範囲】
【請求項１】
地震時に扉等がばたつくロック状態となるロック方法において棚本体側に取り付けられた装置本体の係止体が地震時に扉等の開く動きを停止させる位置であるロック位置へと動き、前記係止体は扉等の戻る動きとは独立して動くことにより扉等の戻る動きで解除されず地震時にロック位置に到って振動し、該振動はロック位置を継続して扉等を開き停止する振動であり、地震のゆれがなくなることにより扉等から離れた後は扉等の戻る動きと関係なく前記係止体は待機位置へと戻る扉等の地震時ロック方法
【請求項２】
請求項１の地震時ロック方法を用いた地震対策付き開き戸
【請求項３】
請求項１の地震時ロック方法を用いた地震対策付き引き出し
【請求項４】
請求項１の地震時ロック方法を用いた地震対策付き棚
【発明の詳細な説明】
【発明の詳細な説明】
【技術分野】
【０００１】本発明は開き戸、引き出し等（以下これらを扉等という）を地震時に自動ロックする扉等の地震時ロック方法及び該方法を用いた地震対策付き棚に関するものである。
【背景技術】
【０００２】従来において地震時に扉等を自動ロックする地震時ロック装置においてはゆれによって球が動くことにより地震を検出する地震時ロック方法が用いられている。この場合において係止体は扉等の戻る動きにより解除されていたため解除機構が複雑になっていた。
【発明が解決しようとする課題】
【０００３】本発明は以上の従来の課題を解決し地震時に係止体が扉等の戻る動きとは独立して動くことにより扉等の戻る動きで解除されず地震時にロック位置に到って振動する構成にすることにより解除機構を単純に出来る扉等の地震時ロック方法及び該方法を用いた地震対策付き棚の提供を目的とする。
【課題を解決するための手段】
【０００４】本発明は以上の目的達成のために
地震時に扉等がばたつくロック状態となるロック方法において棚本体側に取り付けられた装置本体の係止体が地震時に扉等の開く動きを停止させる位置であるロック位置へと動き、前記係止体は扉等の戻る動きとは独立して動くことにより扉等の戻る動きで解除されず地震時にロック位置に到って振動し、地震のゆれがなくなることにより扉等から離れた後は扉等の戻る動きと関係なく前記係止体は待機位置へと戻る扉等の地震時ロック方法等
を提案するものである。
【発明の効果】
【０００５】本発明の扉等の地震時ロック方法及び該方法を用いた地震対策付き棚の実施例は以上の通りでありその効果を次に列記する。
本発明の地震時ロック方法は特に地震時に係止体が扉等の戻る動きとは独立して動くことにより扉等の戻る動きで解除されず地震時にロック位置に到って振動する構成にすることにより解除機構を単純に出来る。
【発明を実施するための最良の形態】
【０００６】以下本発明の扉等の地震時ロック方法及び該方法を用いた地震対策付き棚を図面に示す実施例に従って説明する。
図１及び図２は本発明（但し図６と異なる構成部分は本発明の範囲から除く）の地震時ロック方法を用いた扉等の地震時ロック装置を示し、該地震時ロック装置は装置本体（１）に振動エリアＡとしての凹所が設けられる。
該振動エリアＡの床面は図示の実施例では左右に傾斜が上がると共に前方にも傾斜が上がっている。
更に振動エリアＡには球（９）が振動可能に収納され該球（９）は振動エリアＡの中央後端をその安定位置にしている。
次に装置本体（１）には係止体（２）が軸（２ｃ）において回動可能に取り付けられる。
該係止体（２）の軸（２ｃ）より前方である前部には前記振動エリアＡとしての開口が設けられ該開口において前記球（９）が収納される。
振動エリアＡとしての開口は図３に示す様に傾斜した前縁Ａ１において球（９）が前進する際に横方向の動きを付加可能にしている。
次に振動エリアＡとしての開口の前端にはその下面が傾斜した庇（２ｂ）が設けられる。
更に係止体（２）の先端には係止部（２ｅ）及び該係止部（２ｅ）に係止した係止具（５）（後述する）の係止部（５ａ）との係止保持力（係止解除力でもある）を確保する弾性部（２ｆ）が設けられる。
一方係止体（２）の後部には係止体（２）の重心を軸（２ｃ）に近付けてバランスを調整するための重り（２ｄ）が設けられる。
次に装置本体（１）からの係止体（２）の外れ防止のために装置本体（１）は蓋（３）でその上面を閉じられる。
以上の装置本体（１）は家具、吊り戸棚等の棚の本体（９０）にビス等で取り付けられる。
一方家具、吊り戸棚等の棚の開き戸（９１）（図示のものは引き出しを含む扉等の一例としての開き戸を示す）には係止具（５）がビス等で取り付けられる。
該係止具（５）は前記係止体（２）の係止部（２ｅ）に係止される係止部（５ａ）を有している。【０００７】以上の実施例に示した図１乃至図３の本発明の地震時ロック方法及びそれを用いた扉等の地震時ロック装置の作用は次の通り。
すなわち通常の使用状態においては図１に示す様に係止体（２）はその軸（２ｃ）を中心に前端の係止部（２ｅ）が下降した状態で安定している。
この状態において球（９）は装置本体（１）の振動エリアＡの傾斜面により形成された安定位置である中央後端又は後端近くに位置している。
すなわち後端近くと言ったのは係止体（２）の振動エリアＡとしての開口により押された状態で球（９）が安定してもよいからである。
この安定位置にある安定状態において開き戸（９１）は開閉されるが係止体（２）の前端の係止部（２ｅ）が下降しているため係止具（５）は前記係止体（２）の係止部（２ｅ）に係止しない。
従って開き戸（９１）は自由に開閉され使用者は棚内部への物品の収納及び内部からの取り出しが可能になっている。
次に地震時においては棚の本体（９０）がゆれるため前方へのゆれの際には球（９）は振動エリアＡの中央後端又は後端近くの安定位置から図３に示す様に前進する。
その結果球（９）は係止体（２）の庇（２ｂ）を押し上げて係止体（２）の前端の係止部（２ｅ）は図４に示す様に上昇する。
ここで庇（２ｂ）がなかったとしても球（９）は係止体（２）の振動エリアＡの前端に当たるため係止体（２）の前端の係止部（２ｅ）は上昇する。
但し庇（２ｂ）があれば係止体（２）の前端の係止部（２ｅ）の上昇はより容易になっている。
ここで単に球（９）が直線的に振動する場合には地震の振動波形とほぼ同期して球（９）は振動する。
ところが開き戸（９１）は慣性が大きいためその開閉波形は地震の振動波形よりずれる（遅れる）。【０００８】すなわち地震のゆれの方向が前進方向から後退方向に逆転しても開き戸（９１）は慣性でそのまま開く方向の動きを継続する。
従って単に球（９）を直線的に振動させる従来の方法では地震の振動波形とほぼ同期して球（９）が後退するため係止体（２）の係止部（２ｅ）は下降し始めて係止具（５）の係止部（５ａ）は前記係止体（２）の係止部（２ｅ）に係止出来ずに開き戸（９１）は開いてしまう。
ところが本願発明においては係止体（２）に傾斜した前縁Ａ１を有する振動エリアＡを設け該振動エリアＡに収納された球（９）は前進する際に前記前縁Ａ１で横方向の動きが付加される。
その結果球（９）の前進経路（係止体（２）の振動エリアＡの広義の前縁Ａ１に沿った経路）と後退経路（係止体（２）の振動エリアＡの広義の後縁に沿った経路）を明確に異ならせることが可能になり後退経路において球（９）にかかる荷重を大きくすることが容易になり前進より後退の時間を長くすることが可能になっている。
この結果地震のゆれの方向が前進方向から後退方向に逆転しても係止体（２）の係止部（２ｅ）は上昇したままの状態をしばらく継続した後に下降する。
この係止部（２ｅ）が上昇したままの状態をしばらく継続することは非常に重要であってそれが開き戸（９１）の開く方向の動きの継続に対応するものになるのである。
従って開き戸（９１）の開く方向の動きにより係止具（５）の係止部（５ａ）は前記係止体（２）の係止部（２ｅ）に係止することが出来る。
以上で明らかな通り後退経路において球（９）にかかる荷重を大きくし前進より後退の時間を長くしていることで開き戸（９１）の開閉波形のずれ（遅れ）に対応出来るのである。
後退経路において球（９）にかかる荷重を大きくする方法として図示の実施例では後退経路において球（９）を係止体（２）の軸（２ｃ）に近い部分に接触させ係止体（２）の重量による大きな荷重を作用させる一方前進経路においては球（９）を係止体（２）の軸（２ｃ）から遠い部分に接触させ係止体（２）の重量による小さな荷重を作用させているのである。
以上の結果後退する際に球（９）にかかる荷重が大きくなり前進より後退の時間が長くなるのである。【０００９】更に図示の実施例においては次の方法も付加して開き戸（９１）の開閉波形が地震の振動波形よりずれる（遅れる）ことに対応している。
すなわち棚本体側に取り付けられた装置本体（１）の振動エリアＡに球（９）を振動可能に収納し、該球（９）の前進経路と後退経路を異ならせ後退経路において開き戸（９１）の係止具（５）に係止する係止体（２）に接触させながら前記球（９）を後退させ球（９）による係止体（２）の持ち上げを可能にしている。更に棚本体側に取り付けられた装置本体（１）の振動エリアＡに球（９）を振動可能に収納し、該球（９）の前進経路と後退経路が同一の場合と異なる場合のいずれの場合（図示のものは異なる場合）においても開き戸（９１）の係止具（５）に係止する係止体（２）の軸（２ｃ）に近い部分に後退時において球（９）を接触させている。
この様にすれば球（９）による係止体（２）の持ち上げが大きくなり球（９）が後端に到るまで係止体（２）を持ち上げておき最後に係止体（２）を下降させることが容易になる。
更に図示されていないが棚本体側に取り付けられた装置本体（１）の振動エリアＡに球（９）を振動可能に収納し、該球（９）の前進経路と後退経路が同一の場合と異なる場合のいずれの場合（図示のものは異なる場合）においても球（９）の前進時と後退時の開き戸（９１）の係止具（５）に係止する係止体（２）への接触部分を異ならせ後退時における接触部分の摩擦を大きくしてもよい。
例えば後退時における接触部分の材料を摩擦の大きい材料にしたり表面をざらざらにしたりする方法がある。
更に図示の実施例においては棚本体側に取り付けられた装置本体（１）の振動エリアＡに球（９）を振動可能に収納し、該球（９）の前進経路と後退経路が同一の場合と異なる場合のいずれの場合（図示のものは異なる場合）においても開き戸（９１）の係止具（５）に係止する係止体（２）にゆれの戻り力を作用させながら（ゆれの戻り力により持ち上げながら）前記球（９）を後退させている。
すなわち単に前進より球（９）の後退の時間を長くする消極的な方法でなく積極的にゆれの戻り力により係止体（２）を持ち上げるのである。【００１０】更に棚本体側に取り付けられた装置本体（１）の振動エリアＡに球（９）を振動可能に収納し、該球（９）の前進経路と後退経路が同一の場合と異なる場合のいずれの場合においても球（９）の経路として振動エリアＡの前部の経路を後部の経路より長くして球（９）が前部に存在する時間を後部に存在する時間より長くする地震時ロック方法もある。
以上で明らかな通り上昇した状態を継続している係止体（２）の係止部（２ｅ）は開く方向の動きを継続する開き戸（９１）の係止具（５）の係止部（５ａ）に係止し開き戸（９１）は隙間を有してロックされる（図４から図５に到るのである）。
開き戸（９１）は地震のゆれの戻りの際に開き戸（９１）の重量と地震の加速度に応じて係止を外そうとする力を係止部（２ｅ）（５ａ）に作用する。
この係止を外そうとする力が係止体（２）の係止部（２ｅ）の近くに設けられた弾性部（２ｆ）の弾性抵抗（係止保持力）（係止解除力でもある）以下であれば係止状態は保持される。
すなわち開き戸（９１）の重量と予想される地震の加速度の両者から係止部（２ｅ）（５ａ）の（係止保持力）（係止解除力でもある）を設定しておくことにより予想される範囲の地震においては地震が終了するまで係止状態が保持される。地震が終わると使用者は隙間を有してロックされている図５の開き戸（９１）を係止保持力以上の力で押す。
これにより係止状態が解除され図５の状態から図１に示す様に係止体（２）の係止部（２ｅ）は下降し開き戸（９１）の開閉は自由になる。
ここで球（９）については地震が終わると係止状態の解除と関係なく装置本体（１）の振動エリアＡの床面の傾斜により中央後端の安定位置に戻る。【００１１】以上で明らかな通り図１乃至図５の扉等の地震時ロック方法は棚の本体（９０）側に取り付けられた装置本体（１）の係止体（２）が地震時に扉等の開く動きを停止させる位置であるロック位置へと動き、前記係止体（２）は扉等の戻る動きとは独立して動くことにより扉等の戻る動きで解除されず地震時にロック位置に到って振動し又はロック位置を保持し、地震のゆれがなくなることにより扉等から離れた後は扉等の戻る動きと関係なく前記係止体（２）は待機位置へと戻る扉等の地震時ロック方法である。
そして図示のものは地震時に装置本体（１）の係止体（２）が扉等の係止具（５）に係止し扉等のばたつきのほとんどないロック状態となる扉等の地震時ロック方法であった。
次に図６は本発明の扉等の地震時ロック方法の実施例であり、図１乃至図５に示したものと比較し地震時に扉等がばたつくロック状態となる扉等の地震時ロック方法であることを特徴とする。
すなわち係止体（２）の係止部（２ｅ）は扉等の係止具（５）の係止部（５ａ）に係止することなく単に停止されるものであり地震時に扉等がばたつくロック状態となる。
【図面の簡単な説明】
【００１２】
【図１】本発明の地震時ロック方法を具体化した装置の側面断面図
【図２】図１の装置の分解斜視図
【図３】図１の装置の振動エリアの平面図
【図４】図１の装置の作動状態を示す側面断面図
【図５】図１の装置の作動状態を示す側面断面図
【図６】本発明の地震時ロック方法を具体化した装置の側面断面図
【符号の説明】
【００１３】１    装置本体
２    係止体
２ｂ  庇
２ｃ  軸
２ｄ  重り
２ｅ  係止部
２ｆ  弾性部
３    蓋
５    係止具
５ａ  係止部
５ｂ  取付部
９    球
９０  本体
９１  開き戸
Ａ    振動エリア
Ａ１  前縁
【図１】
2006194078.tif 000003
【図２】
2006194078.tif 000004
【図３】
2006194078.tif 000005
【図４】
2006194078.tif 000006
【図５】
2006194078.tif 000007
【図６】
2006194078.tif 000008